(57)【要約】  複数のパッケージ本体を有するハード型パッケージにおいて、各パッケージ本体を片手で容易に開放するための技術を提供する。ハード型パッケージは、第１パッケージ部及び第２パッケージ部を備え、第１パッケージ部及び第２パッケージ部はそれぞれ、上部に開口端を有すると共に内部に被収容物を収容する略直方体形状のパッケージ本体と、開口端の後側開口縁にヒンジを介して回動可能に連結されると共に当該開口端を開閉する蓋部と、を有し、第１パッケージ部及び第２パッケージ部は、各々の蓋部が閉じられた状態でパッケージ本体の後壁同士が対向して配置されており、第１パッケージ部及び第２パッケージ部における蓋部の天壁と後壁との境界をなす後頂縁部同士が頂部ヒンジを介して互いに回動自在に連結されている。
2014061297.tif 000002
【特許請求の範囲】
【請求項１】
第１パッケージ部及び第２パッケージ部を備えるパッケージであって、
前記第１パッケージ部及び前記第２パッケージ部はそれぞれ、上部に開口端を有すると共に内部に被収容物を収容する略直方体形状のパッケージ本体と、前記開口端の後側開口縁にヒンジを介して回動可能に連結されると共に当該開口端を開閉する蓋部と、を有し、
前記第１パッケージ部及び前記第２パッケージ部は、各々の前記蓋部が閉じられた状態で前記パッケージ本体の後壁同士が対向して配置されており、
前記第１パッケージ部及び前記第２パッケージ部における前記蓋部の天壁と後壁との境界をなす後頂縁部同士が頂部ヒンジを介して互いに回動自在に連結されている、
ハード型パッケージ。
【請求項２】
前記第１パッケージ部及び前記第２パッケージ部の何れか一方のパッケージ本体における後壁の上下方向に沿って延設された係合部と、他方のパッケージ本体における後壁に設けられると共に前記係合部の延伸方向にスライド自在に当該係合部と係合する被係合部と、
を更に備える請求項１に記載のハード型パッケージ。
【請求項３】
前記係合部及び前記被係合部は、前記第１パッケージ部及び前記第２パッケージ部におけるそれぞれの前記パッケージ本体同士が所定の範囲内で離間することを許容する、
請求項２に記載のハード型パッケージ。
【請求項４】
前記第１パッケージ部における蓋部とパッケージ本体とを連結するヒンジと前記頂部ヒンジとの間の離間寸法と、前記第２パッケージ部における蓋部とパッケージ本体とを連結するヒンジと前記頂部ヒンジとの間の離間寸法とが略等しい、請求項１から３の何れか一項に記載のハード型パッケージ。
【請求項５】
前記第１パッケージ部及び前記第２パッケージ部の外形寸法が略等しい、請求項１から４の何れか一項に記載のハード型パッケージ。
【発明の詳細な説明】
【技術分野】
【０００１】
本発明はハード型パッケージに関する。
【背景技術】
【０００２】
従来、たばこ商品等の被収容物（収容対象物）を収容するパッケージ（包装）として、ソフトパック型パッケージやハード型パッケージ等が公知である。ハード型パッケージの１つの形態として、ヒンジを介してパッケージ本体に開閉自在に連結された上蓋（ヒンジリッド）を備えたヒンジ蓋付きハード型パッケージ（ヒンジリッドパッケージともいう）が知られている。この種のハード型パッケージは、通常、ボックス状の外形を有し、被収容物を収容するパッケージ本体と、パッケージ本体の上部に形成される開口端を開閉するための蓋部が、開口端の縁部に沿って設けられたヒンジを介して回動自在に連結されている。【０００３】
近年では、ハード型パッケージの一形態として、被収容物を収容するパッケージ本体を複数有するパッケージも提案されている（例えば、特許文献１〜８を参照）。従来における複数のパッケージ本体を有するハード型パッケージとしては、ウォレットタイプ、スライドオープンタイプ、スイングオープンタイプ等のパッケージが知られている。
【先行技術文献】
【特許文献】
【０００４】
【特許文献１】特開２００９−８３９３２号公報
【特許文献２】特表２００８−５２５２７９号公報
【特許文献３】特表２００７−５２７８２６号公報
【特許文献４】特表２００８−５３１４０６号公報
【特許文献５】特許第４９０９４３６号公報
【特許文献６】特表２００８−５２８３９２号公報
【特許文献７】特開平９−２４９２６号公報
【特許文献８】特開平９−２４９２７号公報
【発明の概要】
【発明が解決しようとする課題】
【０００５】
しかしながら、従来における複数のパッケージ本体を有するハード型パッケージとしては、パッケージ本体を開放する際に両手を使う必要があった。本発明は上記の問題に鑑みてなされたものであり、複数のパッケージ本体を有するハード型パッケージにおいて、各パッケージ本体を片手で容易に開放するための技術を提供することにある。
【課題を解決するための手段】
【０００６】
本発明は、上述した課題を解決するため、第１パッケージ部及び前記第２パッケージ部を互いに背中合わせに配置すると共に、各パッケージ部におけるヒンジリッドの後頂縁部同士を互いに回動自在に頂部ヒンジを介して連結した。【０００７】
より詳細には、本発明は、第１パッケージ部及び第２パッケージ部を備えるパッケージであって、前記第１パッケージ部及び前記第２パッケージ部はそれぞれ、上部に開口端を有すると共に内部に被収容物を収容する略直方体形状のパッケージ本体と、前記開口端の後側開口縁にヒンジを介して回動可能に連結されると共に当該開口端を開閉する蓋部と、を有し、前記第１パッケージ部及び前記第２パッケージ部は、各々の前記蓋部が閉じられた状態で前記パッケージ本体の後壁同士が対向して配置されており、前記第１パッケージ部及び前記第２パッケージ部における前記蓋部の天壁と後壁との境界をなす後頂縁部同士が頂部ヒンジを介して互いに回動自在に連結されている。【０００８】
本発明に係るハード型パッケージは、第１パッケージ部と第２パッケージ部とがいわゆる背中合わせに配置され、各パッケージ部における蓋部の後頂縁部同士が頂部ヒンジを介して回動自在に連結されている。また、第１パッケージ部と第２パッケージ部とは、それぞれがいわゆるヒンジリッドパッケージであり、各パッケージ部におけるパッケージ本体と蓋部とはヒンジによって回動自在に連結されている。使用者は、各パッケージ部の蓋部を開閉する際、各パッケージ部のパッケージ本体同士を相対的に上下方向へとスライド操作することで、所望の蓋部を容易に開閉することができる。【０００９】
ここで、第１パッケージ部が有するパッケージ本体及び蓋部を「第１パッケージ本体」及び「第１蓋部」と称し、第２パッケージ部が有するパッケージ本体及び蓋部を「第２パッケージ本体」及び「第２蓋部」と称する。また、第１パッケージ本体と第１蓋部とを回動自在に連結するヒンジを「第１ヒンジ」と称し、第２パッケージ本体と第２蓋部とを回動自在に連結するヒンジを「第２ヒンジ」と称する。ここで、第１蓋部及び第２蓋部が閉じた状態から第１蓋部を開放する場合、使用者は、第２パッケージ本体に対して第１パッケージ本体を相対的に上方にスライドさせる。そうすると、頂部ヒンジを中心に第１ヒンジが頂部ヒンジの周りを周回することで、頂部ヒンジを中心に第１蓋部と第２蓋部とが相対的に回動しつつ、第１ヒンジを中心に第１蓋部と第１パッケージ本体とが相対的に回動するため、第１蓋部を開放することができる。一方、第２蓋部を開放する場合、使用者は、第１パッケージ本体に対して第２パッケージ本体を相対的に上方にスライドさせる。そうすると、頂部ヒンジを中心に第２ヒンジが頂部ヒンジの周りを周回することで、頂部ヒンジを中心に第１蓋部と第２蓋部とが相対的に回動しつつ、第２ヒンジを中心に第２蓋部と第２パッケージ本体とが相対的に回動するため、第２蓋部を開放することができる。【００１０】
上記のように、本発明に係るハード型パッケージは、第１蓋部及び第２蓋部の何れを開放する場合においても、各パッケージ本体をスライド操作するだけで、蓋部を直接操作することなく、所望の蓋部を開放することができる。よって、本発明に係るハード型パッケージによれば、各パッケージ本体を塞ぐ蓋部を、使用者が片手で容易に開放することが可能となる。【００１１】
ハード型パッケージに収容する被収容物は特に限定されるものではないが、棒状物品の集合体、例えばたばこ商品を被収容物として好適に例示できる。たばこ商品としては、例えば紙巻たばこ（フィルタシガレット、両切たばこ（フィルタ無し））、シガー（葉巻）、シガリロ、スヌース、嗅ぎたばこ、噛みたばこ、電子たばこ等が例示できる。【００１２】
ここで、本発明に係るハード型パッケージは、前記第１パッケージ部及び前記第２パッケージ部の何れか一方のパッケージ本体における後壁の上下方向に沿って延設された係合部と、他方のパッケージ本体における後壁に設けられると共に前記係合部の延伸方向にスライド自在に当該係合部と係合する被係合部と、を更に備えても良い。このようにすることで、使用者が、各パッケージ部の蓋部を開放する際、パッケージ本体同士のスライド操作を円滑に行うことができるようになる。【００１３】
また、本発明に係るハード型パッケージにおいて、前記係合部及び前記被係合部は、前記第１パッケージ部及び前記第２パッケージ部におけるそれぞれの前記パッケージ本体同士が所定の範囲内で離間することを許容するように構成されていても良い。このように、パッケージ本体同士の後壁（背面）同士が離間することをある程度許容することで、使用者が、パッケージ本体同士を上下方向にスライド操作させた際に、頂部ヒンジの周りを第１ヒンジあるいは第２ヒンジが円滑に周回することができるようになり、蓋部の円滑な開放に資することができる。【００１４】
また、本発明に係るハード型パッケージにおいて、前記第１パッケージ部における蓋部とパッケージ本体とを連結するヒンジと前記頂部ヒンジとの間の離間寸法と、前記第２パッケージ部における蓋部とパッケージ本体とを連結するヒンジと前記頂部ヒンジとの間の離間寸法とが略等しくても良い。すなわち、本発明は、前記頂部ヒンジと前記第１ヒンジとの間の離間寸法と、前記頂部ヒンジと前記第２ヒンジとの間の離間寸法とが略等しくても良い。このようにハード型パッケージを構成することで、何れのパッケージ部に対応する蓋部を開放する場合においても、使用者に要求されるパッケージ本体のスライド操作量が大きく相違してしまうことを回避できる。その結果、ハード型パッケージの操作性、使用感を向上させることができる。【００１５】
また、本発明に係るハード型パッケージにおいて、前記第１パッケージ部及び前記第２パッケージ部の外形寸法が略等しくても良い。このようにハード型パッケージを構成することで、各パッケージ部における蓋部の開閉操作をより円滑に行うことができるようになり、ハード型パッケージの操作性を向上できる。【００１６】
また、本発明における課題を解決するための手段は、可能な限り組み合わせて採用することができる。
【発明の効果】
【００１７】
本発明によれば、複数のパッケージ本体を有するハード型パッケージにおいて、各パッケージ本体を片手で容易に開放するための技術を提供することが可能である。
【図面の簡単な説明】
【００１８】
【図１】実施形態１に係るハード型パッケージの斜視図である。
【図２】実施形態１に係るハード型パッケージの斜視図である。
【図３】実施形態１に係るハード型パッケージの分解図である。
【図４】実施形態１に係る第１パッケージ部の背面図である。
【図５】実施形態１に係る第２パッケージ部の背面図である。
【図６】第１ブランクを示す図である。
【図７】第２ブランクを示す図である。
【図８】第３ブランクを示す図である。
【図９】実施形態１に係るハード型パッケージにおいて、第１パッケージ部の第１リッドを開放した状態を示す図である。
【図１０Ａ】実施形態１に係るハード型パッケージの開閉動作を説明する図である。
【図１０Ｂ】実施形態１に係るハード型パッケージの開閉動作を説明する図である。
【図１０Ｃ】実施形態１に係るハード型パッケージの開閉動作を説明する図である。
【図１１】実施形態１に係るハード型パッケージの変形例を示す図である。
【図１２】実施形態２に係るハード型パッケージの分解図である。
【図１３】第４ブランクＢ４を示す図である。
【図１４】第５ブランクＢ５を示す図である。
【発明を実施するための形態】
【００１９】
次に、本発明に係る実施形態の一例として、フィルタシガレットや両切シガレット等のたばこ商品をハード型パッケージに収容する場合について、図面に基づいて説明する。なお、以下で説明する実施形態は本発明を実施するための例示であり、本発明は以下で説明する態様に限定されない。また、本実施形態に係るハード型パッケージは、紙材（例えば、カード紙、マニラボール紙）によって構成されているが、ハード型パッケージの材質はこれに限定されない。ハード型パッケージは、プラスチックシートや、金属板によって構成してもよい。また、材質に紙材を使用する場合は、坪量として例えば１００ｇ／ｍ2以上、４００ｇ／ｍ2以下の紙材を使用してもよい。また、ハード型パッケージの表壁面に、美観や触感の向上等のため、エンボス加工、短繊維パイル（フロック）を用いたフロッキー加工、ニス（ワニス）を厚く盛った疑似エンボス加工等を施してもよい。
【００２０】
＜実施形態１＞
図１及び２は、実施形態１に係るハード型パッケージ１の斜視図である。図３は、実施形態１に係るハード型パッケージ１の分解図である。図示のように、ハード型パッケージ１は、それぞれが独立した略直方体形状を有するヒンジ蓋付きボックス型パッケージである第１パッケージ部２と第２パッケージ部３とを備え、これら各パッケージ部の蓋部同士を互いにヒンジ連結して構成されている。
【００２１】
第１パッケージ部２は、第１パッケージ本体４と、第１パッケージ本体４に第１ヒンジ５を介して回動自在に連結される蓋部としての第１ヒンジリッド（以下、単に「第１リッド」という）６とを有する。第２パッケージ部３は、第２パッケージ本体７と、第２パッケージ本体７に第２ヒンジ８を介して回動自在に連結される蓋部としての第２ヒンジリッド（以下、単に「第２リッド」という）９とを有する。
【００２２】
第１パッケージ本体４及び第２パッケージ本体７は、直方体形状の上端側が斜めに切り欠かれた形状を有する箱体であり、その内部に被収容物を収容する収容空間が形成されている。第１パッケージ本体４は、前壁４１、後壁４２、一組の側壁４３、底壁４４を有する。前壁４１及び後壁４２はそれぞれ矩形状を有し、後壁４２は前壁４１に比べて高さ寸法が長尺の矩形状をなし、前壁４１と対向配置されている。一組の側壁４３は、前壁４１及び後壁４２の両側縁を相互に連結しており、矩形状の上端が斜辺となった台形状をなしている。すなわち、側壁４３の上端縁は、前壁４１の上端と後壁４２の上端とを結ぶように傾斜している。底壁４４は、矩形状をなしており、前壁４１及び後壁４２の下端に連結されている。
【００２３】
また、第１パッケージ本体４の後壁４２の上端には第１ヒンジ５が形成されており、後壁４２と第１リッド６とを相互に回動自在に連結している。以上のように構成される第１パッケージ本体４は、その上端に開口端４５を備えている。そして、この開口端４５の後側開口縁に、第１ヒンジ５を介して第１リッド６が、回動（旋回）自在に連結されている。
【００２４】
第１リッド６は、第１ヒンジ５に連結されている矩形状の後壁６１と、後壁６１に直交するように連結されている矩形型の天壁６２と、天壁６２に直交するように連結されている矩形状の前壁６３と、一組の側壁６４とを有している。一組の側壁６４は、それぞれ台形状をなしており、後壁６１、天壁６２及び前壁６３の各側縁を連結している。上記のように第１リッド６は第１ヒンジ５を中心に回動自在となっている。そして、第１リッド６が閉じたときに、その側壁６４の斜辺、すなわち側壁６４の傾斜下端縁が、上述した第１パッケージ本体４における側壁４３の上端縁と互いに合致する。
【００２５】
一方、第２パッケージ本体７は、前壁７１、後壁７２、一組の側壁７３、底壁７４を有する。前壁７１及び後壁７２はそれぞれ矩形状を有し、後壁７２は前壁７１に比べて高さ寸法が長尺の矩形状をなし、前壁７１と対向配置されている。一組の側壁７３は、前壁７１及び後壁７２の両側縁を相互に連結しており、矩形状の上端が斜辺となった台形状をなしている。すなわち、側壁７３の上端縁は、前壁７１の上端と後壁７２の上端とを結ぶように傾斜している。底壁７４は、矩形状をなしており、前壁７１及び後壁７２の下端に連結されている。
【００２６】
また、第２パッケージ本体７の後壁７２の上端には第２ヒンジ８が形成されており、第２ヒンジ８が後壁７２と第２リッド９とを相互に回動自在に連結している。以上のように構成される第２パッケージ本体７は、その上端に開口端７５を備えている。そして、この開口端７５の後側開口縁に、第２ヒンジ８を介して第２リッド９が、回動（旋回）自在に連結されている。
【００２７】
第２リッド９は、第２ヒンジ８に連結されている矩形状の後壁９１と、後壁９１に直交するように連結されている矩形型の天壁９２と、天壁９２に直交するように連結されている矩形状の前壁９３と、一組の側壁９４とを有している。一組の側壁９４は、それぞれ台形状をなしており、後壁９１、天壁９２及び前壁９３の各側縁を連結している。上記のように第２リッド９は第２ヒンジ８を中心に回動自在となっている。そして、第２リッド９が閉じたときに、その側壁９４の斜辺、すなわち側壁９４の傾斜下端縁が、上述した第２パッケージ本体７における側壁７３の上端縁と互いに合致する。
【００２８】
以下、第１パッケージ部２においては、第１パッケージ本体４における前壁４１側を正面とし、後壁４２側を背面とする。また、第２パッケージ部３においては、第２パッケージ本体７における前壁７１側を正面とし、後壁７２側を背面とする。また、本実施系板におけるハード型パッケージ１においては、第１パッケージ本体４と第２パッケージ本体７とは、その外形状及び外形寸法が略等しい。また、第１リッド６と第２リッド９とは、その外形状及び外形寸法が略等しい。その結果、第１パッケージ部２と第２パッケージ部３とは、その外形状及び外形寸法が略等しくなっている。ここで、上記の外形寸法とは、高さ、幅、奥行き等、パッケージの外形を規定する各部の寸法をいう。
【００２９】
本実施形態に係るハード型パッケージ１は、第１パッケージ部２及び第２パッケージ部３が背中合わせに配置されている。より詳しくは、第１パッケージ部２における第１リッド６及び第２パッケージ部３における第２リッド９が閉じられた状態において、第１パッケージ本体４の後壁４２と第２パッケージ本体７の後壁７２同士が対向して配置されている。更に、第１リッド６の天壁６２及び第２リッド９の天壁９２は、連結部材１０を介して連結されている。図３に示すように、連結部材１０は矩形状を有するシート状あるいは板状部材である。連結部材１０の長辺の寸法は、第１リッド６における天壁６２と第２リッド９における天壁９２の長辺の寸法と略等しい。また、連結部材１０の短辺の寸法は、第１リッド６における天壁６２の短辺の長さと第２リッド９における天壁９２の短辺の長さとの和に略等しい。
【００３０】
連結部材１０は、図８に示す第３ブランクＢ３によって形成されている。連結部材１０は、その短辺中央部から、長辺方向に沿って第３ヒンジラインＬ３が形成されており、第３ヒンジラインＬ３を境にして第１連結パネルＰ４１と第２連結パネルＰ４２とが連なっている。第１連結パネルＰ４１と第２連結パネルＰ４２の面積は互いに等しく、それぞれの面積は各天壁６２，９２の面積と等しい。本実施形態では、第３ブランクＢ３の第１連結パネルＰ４１が第１リッド６の天壁６２に接着され、第２連結パネルＰ４２が第２リッド９の天壁９２に接着される（図１、３を参照）。
【００３１】
図１、３に示すように、連結部材１０を形成する第３ブランクＢ３は、第１リッド６における天壁６２と第２リッド９における天壁９２に跨るようにして各々と接着される。その際、第３ブランクＢ３における第３ヒンジラインＬ３は、第１リッド６における天壁６２と第２リッド９における天壁９２との境界位置に合致するように配置されている。連結部材１０を介して第１リッド６及び第２リッド９が連結されることで、第３ヒンジラインＬ３によって頂部ヒンジ１０ａが形成され、この頂部ヒンジ１０ａを中心に、第１リッド６と第２リッド９が相対的に回動自在となる。
【００３２】
更に、ハード型パッケージ１は、第１パッケージ部２及び第２パッケージ部３のうち一方におけるパッケージ本体の後壁に設けられた係合部と、他方におけるパッケージ本体の後壁に設けられると共にこの係合部の延伸方向にスライド自在に当該係合部と係合する被係合部とを有している。以下、この係合部と被係合部とからなるスライド機構について説明する。図４に本実施形態に係る第１パッケージ部２の背面図を示し、図５に第２パッケージ部３の背面図を示す。図４に示す鎖線は、第２パッケージ部３の外形、差し込み片１３等を併せて示したものであり、図５に示す鎖線は、第１パッケージ部２の外形、スライドガイド１１等を示したものである。また、図４の下段には、図中のＡ−Ａ矢視断面を示し、図５の下段には図中のＢ−Ｂ矢視断面を示す。
【００３３】
第１パッケージ本体４の後壁４２には、図３、４に示すように、スライドガイド１１が接着されている。スライドガイド１１は、後壁４２に固定された状態で、後壁４２の上下方向に沿って延伸するシート状部材である。スライドガイド１１は、上端部１１ａと下端部１１ｂが後壁４２に対して接着されており、中間部１１ｃは後壁４２に対して接着されていない。スライドガイド１１は、上端部１１ａと下端部１１ｂとが接着領域となることで後壁４２に対して一体に接合されている。そして、スライドガイド１１の中間部１１ｃを後壁４２と接着させないことで、中間部１１ｃと後壁４２との間に後述する差し込み片１３をスライド自在に保持する隙間空間が形成されている。以下、「中間部１１ｃ」を「係合部１１ｃ」と称する。図３中、係合部１１ｃに対応する部分にはドット模様を付している。スライドガイド１１の中間部１１ｃは、後壁４２における幅方向中央部において後壁４２の上下方向に延伸しており、差し込み片１３をスライド自在に係止する。
【００３４】
図３、５に示すように、第２パッケージ本体７の後壁７２は、その幅方向両端部と中央部との間に段差が設けられている。すなわち、後壁７２における左側端部と右側端部には、その中央部と比べて一段高い壁厚部７２ａ，７２ｂがそれぞれ形成されている。そして、後壁７２の幅方向中央部には、壁厚部７２ａと壁厚部７２ｂとの間に挟まれるようにして、壁厚部７２ａ，７２ｂに比べて一段低くなった溝部７２ｃが形成されている。図３、５に示すように、後壁７２の溝部７２ｃは、後壁７２の上下方向に沿って延びており、略一定の幅を有している。更に、壁厚部７２ａには、溝部７２ｃに面して切欠き部７２ｄが形成されており、切欠き部７２ｄは溝部７２ｃと同じ高さ（面一）となっている。
【００３５】
第２パッケージ本体７における溝部７２ｃの幅は、スライドガイド１１における係合部１１ｃの幅と等しいか僅かに大きい。従って、第１パッケージ本体４と第２パッケージ本体７とを背中合わせに配置した際、スライドガイド１１の係合部１１ｃが、溝部７２ｃに収容される（受け入れられる）。これによって、ハード型パッケージ１の厚みが嵩張ることが抑制される。
【００３６】
第２パッケージ本体７の後壁７２には、第１パッケージ本体４側のスライドガイド１１（係合部１１ｃ）と係合する差し込み片１３が設けられている。差し込み片１３は、後壁７２と一体に接合されており、後壁７２の幅方向、すなわち左右方向に延伸した細長の板状部材である。差し込み片１３は、スライドガイド１１の係合部１１ｃと後壁４２との隙間に横方向から差し込まれることで、係合部１１ｃの延伸方向、すなわち後壁４２，７２の上下方向へとスライド自在となっている。本実施形態においては、差し込み片１３が本発明に係る被係合部に対応している。
【００３７】
差し込み片１３の長さは、係合部１１ｃの幅よりも長い。差し込み片１３の一端（基端）は、壁厚部７２ｂにおける溝部７２ｃとの境界縁部に接合されており、係合部１１ｃと後壁４２との間を通過した他端（先端）側は、壁厚部７２ａの切欠き部７２ｄにおいて後壁７２と接着されている。このようにして、差し込み片１３が、スライドガイド１１の係合部１１ｃに対して引っ掛けられることで、係合部１１ｃの延伸方向、すなわち後壁４２，７２の上下方向にスライド自在となっている。
【００３８】
＜製造方法＞
本実施形態に係るハード型パッケージ１は、第１パッケージ部２を形成する第１ブランクＢ１と、第２パッケージ部３を形成する第２ブランクＢ２と、連結部材１０を形成する第３ブランクＢ３とからなる。図６に示す第１ブランクＢ１と、図７に示す第２ブランクＢ２を、その折り込み線に沿って折り込み、各所を接着することで、第１パッケージ部２及び第２パッケージ部３を成形し、図８に示す第３ブランクＢ３からなる連結部材１０によって連結することでハード型パッケージ１が製造される。
【００３９】
図６に示すように、第１ブランクＢ１は、第１パッケージ本体４の前壁４１となる矩形状の前壁パネルＰ１を有しており、前壁パネルＰ１の両側縁には、第１パッケージ本体４の側壁４３となる台形状を有する側壁パネルＰ２，Ｐ２が連なっている。一方の側壁パネルＰ２の側縁には、スライドガイド１１となる係合パネルＰ３が連なっている。また、他方の側壁パネルＰ２の側縁には、後壁補強パネルＰ４が連なっている。また、前壁パネルＰ１の下端縁には、第１パッケージ本体４の底壁４４となる矩形状の底壁パネルＰ５が連なっている。
【００４０】
底壁パネルＰ５の下端縁、すなわち前壁パネルＰ１とは反対側に位置する方の縁部には、第１パッケージ本体４の後壁４２となる矩形状の後壁パネルＰ６が連なっている。この後壁パネルＰ６の両側縁には、側壁パネルＰ２に対するインナサイドフラップＰ７がそれぞれ連なっている。インナサイドフラップＰ７は、台形状を有し、側壁パネルＰ２に重ね合わされた上で接着されることで、側壁４３を補強する。また、各インナサイドフラップＰ７の上端縁には、インナボトムフラップＰ８が連なっている。インナボトムフラップＰ８は、底壁パネルＰ５に重ね合わされた上で接着されることで、底壁４４を補強する。なお、底壁パネルＰ５に対してインナボトムフラップＰ８を接着しなくてもよい。
【００４１】
後壁パネルＰ６の下端縁には、第１ヒンジ５となる第１ヒンジラインＬ１を介して、第１リッド６の後壁６１となる矩形状の後壁パネルＰ９が連結されている。また、後壁パネルＰ９の下端縁には、第１リッド６の天壁６２となる矩形状の天壁パネルＰ１０が連なっている。更に、後壁パネルＰ９の両側縁には、インナサイドフラップＰ１１が連なっている。また、各インナサイドフラップＰ１１の下端縁には、インナトップフラップＰ１２が連なっている。各インナトップフラップＰ１２は、天壁パネルＰ１０に重ね合わされた上で接着されることで、第１リッド６の天壁６２を補強する。なお、天壁パネルＰ１０に対してインナトップフラップＰ１２を接着しなくてもよい。
【００４２】
天壁パネルＰ１０の下端縁には、第１リッド６の前壁６３となる矩形状の前壁パネルＰ１３が連なっている。更に、前壁パネルＰ１３の両側縁には、第１リッド６の側壁６４となる側壁パネルＰ１４がそれぞれ連なっている。各側壁パネルＰ１４は台形状を有し、上述のインナサイドフラップＰ１１が接着されることで、側壁６４が補強される。前壁パネルＰ１３の下端縁には、インナフロントフラップＰ１５が連なっている。インナフロントフラップＰ１５は、前壁パネルＰ１３に重ね合わされた上で接着されることで、前壁６３が補強される。なお、前壁パネルＰ１３に対してインナフロントフラップＰ１５を接着しなくてもよい。
【００４３】
また、図７に示すように、第２ブランクＢ２は、第２パッケージ本体７の前壁７１となる矩形状の前壁パネルＰ２１を有しており、前壁パネルＰ２１の両側縁には、第２パッケージ本体７の側壁７３となる台形状を有する側壁パネルＰ２２，Ｐ２２が連なっている。一方の側壁パネルＰ２２の側縁には、後壁７２における壁厚部７２ｂとなる壁厚部形成パネルＰ２３ｂが連なっている。また、他方の側壁パネルＰ２２の側縁には、後壁７２における壁厚部７２ａとなる壁厚部形成パネルＰ２３ａが連なっている。また、後壁補強パネルＰ２３ｂの側縁部には、差し込み片１３となる差し込みフラップＰ２４が連なっている。また、前壁パネルＰ２１の下端縁には、第２パッケージ本体７の底壁７４となる矩形状の底壁パネルＰ２５が連なっている。
【００４４】
底壁パネルＰ２５の下端縁、すなわち前壁パネルＰ２１とは反対側に位置する方の縁部には、第２パッケージ本体７の後壁７２となる矩形状の後壁パネルＰ２６が連なっている。この後壁パネルＰ６の両側縁には、側壁パネルＰ２２に対するインナサイドフラップＰ２７がそれぞれ連なっている。インナサイドフラップＰ２７は、台形状を有し、側壁パネルＰ２２に重ね合わされた上で接着されることで、側壁７３を補強する。また、各インナサイドフラップＰ２７の上端縁には、インナボトムフラップＰ２８が連なっている。インナボトムフラップＰ２８は、底壁パネルＰ２５に重ね合わされた上で接着されることで、底壁７４を補強する。なお、底壁パネルＰ２５に対してインナボトムフラップＰ２８を接着しなくてもよい。
【００４５】
後壁パネルＰ２６の下端縁には、第２ヒンジ８となる第２ヒンジラインＬ２を介して、第２リッド９の後壁９１となる矩形状の後壁パネルＰ２９が連結されている。また、後壁パネルＰ２９の下端縁には、第２リッド９の天壁９２となる矩形状の天壁パネルＰ３０が連なっている。更に、後壁パネルＰ２９の両側縁には、それぞれインナサイドフラップＰ３１が連なっている。また、各インナサイドフラップＰ３１の下端縁には、インナトップフラップＰ３２が連なっている。各インナトップフラップＰ３２は、天壁パネルＰ３０に重ね合わされた上で接着されることで、第２リッド９の天壁９２を補強する。なお、天壁パネルＰ３０に対してインナトップフラップＰ３２を接着しなくてもよい。
【００４６】
天壁パネルＰ３０の下端縁には、第２リッド９の前壁９３となる矩形状の前壁パネルＰ３３が連なっている。更に、前壁パネルＰ３３の両側縁には、第２リッド９の側壁９４となる側壁パネルＰ３４がそれぞれ連なっている。各側壁パネルＰ３４は台形状を有し、上述のインナサイドフラップＰ３１が接着されることで、側壁９４が補強される。前壁パネルＰ３３の下端縁には、インナフロントフラップＰ３５が連なっている。インナフロントフラップＰ３５は、前壁パネルＰ３３に重ね合わされた上で接着されることで、前壁９３が補強される。なお、前壁パネルＰ３３に対してインナフロントフラップＰ３５を接着しなくてもよい。
【００４７】
上述した第１ブランクＢ１、第２ブランクＢ２は、図６、７において破線で示した折り込み線からそれぞれ折り込まれて、図１〜５に示すような第１パッケージ部２及び第２パッケージ部３がそれぞれ成形される。すなわち、第１ブランクＢ１においては、各折り込み線が折り込まれ、インナボトムフラップＰ８が底壁パネルＰ５に接着され、インナサイドフラップＰ７が側壁パネルＰ２に接着される。そして、係合パネルＰ３及び後壁補強パネルＰ４が後壁パネルＰ６に接着されることで、第１パッケージ本体４が成形される。その際、後壁補強パネルＰ４が後壁パネルＰ６に接着されることで、第１パッケージ本体４の剛性向上に寄与する。また、係合パネルＰ３を後壁パネルＰ６に接着する際、図中のハッチング部分にて示す上下端部のみを後壁パネルＰ６に接着する。これにより、係合パネルＰ３が後壁パネルＰ６と接着されない非接合部分がスライドガイド１１の係合部１１ｃとなる。また、第１ブランクＢ１における各インナトップフラップＰ１２が天壁パネルＰ１０に接着され、インナサイドフラップＰ１１が各側壁パネルＰ１４に接着され、インナフロントフラップＰ１５が前壁パネルＰ１３に接着されることで、第１リッド６が成形される。但し、上記のようにインナボトムフラップＰ８、インナトップフラップＰ１２、インナフロントフラップＰ１５については、底壁パネルＰ５、天壁パネルＰ１０、前壁パネルＰ１３に対して必ずしも接着する必要はない。
【００４８】
一方、第２ブランクＢ２においても、各折り込み線から折り込まれ、インナボトムフラップＰ２８が底壁パネルＰ２５に接着され、インナサイドフラップＰ２７が側壁パネルＰ２２に接着されることで、第２パッケージ本体７が成形される。そして、壁厚部形成パネルＰ２３ａ及び壁厚部形成パネルＰ２３ｂが後壁パネルＰ２６の外面に接着されることで、壁厚部７２ａ及び壁厚部７２ｂが形成される。図７に示すように、壁厚部形成パネルＰ２３ａには上述した切欠き部７２ｄが設けられている。更に、第２ブランクＢ２においては、インナトップフラップＰ３２が天壁パネルＰ３０に接着され、インナサイドフラップＰ３１が側壁パネルＰ３４に接着され、インナフロントフラップＰ３５が前壁パネルＰ３３に接着されることで、第２リッド９が成形される。但し、上記のようにインナボトムフラップＰ２８、インナトップフラップＰ３２、インナフロントフラップＰ３５については、底壁パネルＰ２５、天壁パネルＰ３０、前壁パネルＰ３３に対して必ずしも接着する必要はない。
【００４９】
以上のように成形された第１パッケージ部２及び第２パッケージ部３が、第３ブランクＢ３からなる連結部材１０によってヒンジ連結されることで、図１に示すハード型パッケージ１が完成する。なお、図８に示した第３ブランクＢ３、及びこれによる第１パッケージ部２及び第２パッケージ部３の連結については既述の通りである。すなわち、頂部ヒンジ１０ａとなる第３ヒンジラインＬ３を境に、第３ブランクＢ３の第１連結パネルＰ４１が第１リッド６における天壁６２に接着され、第３ブランクＢ３の第２連結パネルＰ４２が第２リッド９における天壁９２に接着されることで、第１リッド６と第２リッド９とが頂部ヒンジ１０ａを中心に相対回動自在に連結される。
【００５０】
＜動作＞
次に、ハード型パッケージ１において、第１パッケージ部２における第１リッド６、及び、第２パッケージ部３における第２リッド９の開閉動作について説明する。図９は、本実施形態に係るハード型パッケージ１において、第１パッケージ部２の第１リッド６を開放した状態を示す図である。使用者は、例えば、図示のように、第１パッケージ本体４及び第２パッケージ本体７を上下方向に相対スライドできる態様でハード型パッケージ１を片手で把持する。そして、第１パッケージ部２及び第２パッケージ部３のうち開放しようとする方に対応するパッケージ本体を他方のパッケージ本体に対して相対的に上方へとスライドさせる操作を行う。図示の例では、使用者は、第１パッケージ部２を手前側、第２パッケージ部３を奥側にして、左手でハード型パッケージ１を把持している。そして、第１パッケージ本体４を親指で上方にスライド操作することで、第１パッケージ本体４の開口端４５を塞いでいる第１リッド６に直接触れることなく、第１リッド６を開放した状態を示している。なお、上記スライド操作に基づくハード型パッケージ１の開閉メカニズムについては図１０Ａ〜Ｃを参照して説明する。
【００５１】
図１０Ａ〜Ｃは、ハード型パッケージ１において、第１パッケージ部２及び第２パッケージ部３の開閉動作を説明する図である。図１０Ａは、第１パッケージ部２の第１リッド６及び第２パッケージ部３の第２リッド９が共に閉じられた状態を示す。図１０Ｂは、第１パッケージ部２の第１リッド６が開放された状態、図１０Ｃは、第２パッケージ部３の第２リッド９が開放された状態を示す。
【００５２】
ハード型パッケージ１は、それぞれが独立したヒンジリッドパッケージである第１パッケージ部２と第２パッケージ部３とを互いに背中合わせに配置し、第１リッド６の天壁６２と後壁６１との境界をなす後頂縁部と、第２リッド９の天壁９２と後壁９１との境界をなす後頂縁部とを頂部ヒンジ１０ａによって相対回動自在に連結している。
【００５３】
図１０Ａに示すように、第１リッド６と第２リッド９とが共に閉じられた状態を「全閉状態」と称する。使用者が、図１０Ａに示す全閉状態から、第１パッケージ部２における第１リッド６を開放する場合、背中合わせに配置されている第１パッケージ本体４と第２パッケージ本体７とを指で上下方向にスライド操作することで、第２パッケージ本体７に対して第１パッケージ本体４を上方へスライドさせる。
【００５４】
ところで、第１パッケージ本体４におけるスライドガイド１１の係合部１１ｃと第２パッケージ本体７における差し込み片１３とからなるスライド機構において、係合部１１ｃは後壁４２の上下方向に延伸していると共に、差し込み片１３はこの係合部１１ｃの延伸方向（後壁４２の上下方向）に沿ってスライド自在に係合している。従って、当然ながら、上記した使用者によるスライド操作が妨げられることは無い。更に、上記係合部１１ｃと差し込み片１３とからなるスライド機構は、第１パッケージ本体４と第２パッケージ本体７とを所定の範囲内で離間することを許容するように構成されている。使用者が、第２パッケージ本体７に対して第１パッケージ本体４を上方にスライドさせると、第１パッケージ本体４が、第２パッケージ本体７の後壁７２から後壁４２を離反させつつ斜め上方に向かって移動する。その際、第１ヒンジ５は、頂部ヒンジ１０ａを中心として周回移動を行う。第１ヒンジ５が周回移動を行うときの軌跡は、頂部ヒンジ１０ａを中心として、頂部ヒンジ１０ａと第１ヒンジ５とが離間する離間寸法を半径とする円周上を推移する。
【００５５】
上記のように、頂部ヒンジ１０ａを中心に第１ヒンジ５が周回移動を行うことによって、頂部ヒンジ１０ａを中心とする第１リッド６と第２リッド９との間の相対回動と、第１ヒンジ５を中心とする第１リッド６と第１パッケージ本体４との間の相対回動とが許容されるようになる。その結果、図１０Ｂに示すように、第１パッケージ部２の第１リッド６が開放され、使用者は、第１パッケージ本体４に収容されたシガレットを自由に取り出すことができるようになる。
【００５６】
なお、図１０Ｂに示す状態から第１リッド６を閉じる場合には、上記とは逆のスライド操作を行なえば良い。すなわち、使用者は、図１０Ｂに示す状態から、（第２パッケージ本体７に対して）第１パッケージ本体４を下方にスライドさせる。これにより、第１リッド６を開放するときとは逆方向に、第１ヒンジ５が頂部ヒンジ１０ａの周りを周回する。これに伴い、第１リッド６が閉じられる方向に、頂部ヒンジ１０ａを介して第１リッド６及び第２リッド９が相対回動を行うと共に、第１ヒンジ５を介して第１リッド６及び第１パッケージ本体４が相対回動を行う。これにより、図１０Ｂに示す状態から図１０Ａに示す状態へと移行し、第１リッド６が閉じられることにより、全閉状態となる。
【００５７】
次に、全閉状態から第２リッド９を開放する際の動作について説明する。この場合、図１０Ａに示す全閉状態から、使用者は、第１パッケージ本体４と第２パッケージ本体７とを指で上下方向にスライド操作することで、第１パッケージ本体４に対して第２パッケージ本体７を上方へスライドさせる。当該スライド操作が行われると、図１０Ｃに示すように、第２パッケージ本体７が、第１パッケージ本体４の後壁４２から後壁７２を離反させつつ斜め上方に向かって移動する。その際、第２ヒンジ８は、頂部ヒンジ１０ａを中心として周回移動を行う。その際、第２ヒンジ８が周回移動を行うときの軌跡は、頂部ヒンジ１０ａを中心として、頂部ヒンジ１０ａと第２ヒンジ８とが離間する離間寸法を半径とする円周上を推移する。
【００５８】
上記のように、頂部ヒンジ１０ａを中心として第２ヒンジ８が周回移動を行うことによって、頂部ヒンジ１０ａを中心とする第１リッド６と第２リッド９との間の相対回動と、第２ヒンジ８を中心とする第２リッド９と第２パッケージ本体７との間の相対回動が許容されるようになる。その結果、図１０Ｃに示すように、第２パッケージ部３の第２リッド９が開放され、使用者は、第２パッケージ本体７に収容されたシガレットを自由に取り出すことができるようになる。
【００５９】
なお、図１０Ｃに示す状態から第２リッド９を閉じる場合には、第２リッド９を開放するときと逆のスライド操作を行なえば良い。すなわち、使用者は、図１０Ｃに示す状態から、（第１パッケージ本体４に対して）第２パッケージ本体７を下方にスライドさせる。これにより、第２リッド９を開放するときとは逆方向に、第２ヒンジ８が頂部ヒンジ１０ａの周りを周回する。これに伴い、第２リッド９が閉じられる方向に、頂部ヒンジ１０ａを介して第１リッド６及び第２リッド９が相対回動を行うと共に、第２ヒンジ８を介して第２リッド９及び第２パッケージ本体７が相対回動を行う。これにより、図１０Ｃに示す状態から図１０Ａに示す状態へと移行し、第２リッド９が閉じられることにより、全閉状態となる。
【００６０】
以上のように、本実施形態に係るハード型パッケージ１は、第１パッケージ本体４を上方へ相対スライド操作するだけで、第１リッド６を直接操作することなく当該第１リッド６を片手で容易に開放できる。同様に、第２パッケージ本体７を上方へ相対スライド操作するだけで、第２リッド９を直接把持することなく当該第２リッド９を片手で容易に開放できる。つまり、ハード型パッケージ１によれば、第１リッド６及び第２リッド９の何れを開放する場合においても、その開放操作を片手で容易に行うことが可能である。しかも、第１リッド６及び第２リッド９を交互に開放する場合においても、使用者は、ハード型パッケージ１を持ち替える必要がなく、利便性が高い。
【００６１】
更に、使用者は、第１リッド６（第２リッド９）を開放した際、第１パッケージ本体４と第２パッケージ本体７との相対位置（スライド状態）をそのまま維持させることで、第１リッド６（第２リッド）が自重やブランクの復元力によって勝手に閉まることが無く、第１リッド６（第２リッド）を開放状態に維持できる。以上より、ハード型パッケージ１は、第１リッド６（第２リッド９）を直接把持することなく、片手で第１リッド６（第２リッド）を容易に開放でき、しかも両手を使うことなく、その開放状態を維持することができる。
【００６２】
また、図１０Ｂに示すように、第１リッド６の開放時においては、頂部ヒンジ１０ａを中心とする第１リッド６と第２リッド９との相対回動に伴い、第２リッド９を閉じる方向に第１リッド６側から力が作用する。一方、図１０Ｃに示すように、第２リッド９の開放時においては、頂部ヒンジ１０ａを中心とする第１リッド６と第２リッド９との相対回動に伴い、第１リッド６を閉じる方向に第２リッド９側から力が作用する。これによれば、第１リッド６及び第２リッド９の一方を使用者が開放する際、他方（使用者が開放を意図しない方）のリッドに対してこれが閉じる方向に力が作用する。これによれば、第１リッド６及び第２リッド９のうち、使用者が開放することを意図しない方のリッドが不用意に開放されることがなく、以って、当該リッドに対応する方のパッケージ本体から被収容物であるシガレットが落下することを抑制できる。
【００６３】
更に、ハード型パッケージ１におけるスライドガイド１１の係合部１１ｃと差し込み片１３とからなる上記スライド機構によれば、係合部１１ｃが後壁４２の上下方向に沿って形成されているため、使用者が、第１リッド６及び第２リッド９の何れかの開放操作を行う際、第１パッケージ本体４及び第２パッケージ本体７の相対移動方向がハード型パッケージ１の高さ方向に合致するように、スライド機構によってガイド（案内）される。その結果、第１パッケージ本体４及び第２パッケージ本体７がハード型パッケージ１の上下方向へ円滑に相対スライドするようになり、リッドの円滑な開放が可能となる。また、係合部１１ｃ及び差し込み片１３が係合することで、第１パッケージ本体４と第２パッケージ本体７とが所定の範囲を超えて離間することが抑制される。そのため、第１パッケージ本体４と第２パッケージ本体７とが大きく離間することがない。そのため、例えば、第１パッケージ部２と第２パッケージ部３とを連結する連結部材１０に大きな負荷が作用することがなく、ハード型パッケージ１が破損しにくくなる。
【００６４】
また、ハード型パッケージ１は、図１０Ａからも判るように、頂部ヒンジ１０ａと第１パッケージ部２における第１ヒンジ５との間の離間寸法（以下、「第１離間寸法」という）と、頂部ヒンジ１０ａと第２パッケージ部３における第２ヒンジ８との間の離間寸法（以下、「第２離間寸法」という）とが略等しくなっている。上記のように、第１リッド６を開閉操作する際には、頂部ヒンジ１０ａを中心として第１離間寸法を半径とする円周上を第１ヒンジ５が周回することになる。ここで、第１離間寸法が大きい程、第１リッド６の開閉操作を行った際の第１リッド６の開閉量が多くなる。一方、第２リッド９を開閉操作する際には、頂部ヒンジ１０ａを中心として第２離間寸法を半径とする円周上を第２ヒンジ８が周回することになる。ここで、第２離間寸法が大きい程、第２リッド９の開閉操作を行った際の第２リッド９の開閉量が多くなる。
【００６５】
ハード型パッケージ１は、第１離間寸法と第２離間寸法とが略等しいため、第１リッド６及び第２リッド９の何れを開放する場合においても、使用者は同程度のスライド操作を行うことで、所望のリッドを容易に開放することができる。つまり、第１リッド６の開放時と第２リッド９の開放時のそれぞれにおいて、使用者に要求されるパッケージ本体のスライド操作量が大きく相違してしまうことを回避し、ハード型パッケージ１の操作性、使用感を向上させることができる。
【００６６】
また、図１、１０Ａ等に示すように、本実施形態におけるハード型パッケージ１は、第１パッケージ部２及び第２パッケージ部３の外形寸法が略等しくなっている。これによれば、使用者がハード型パッケージ１における第１リッド６又は第２リッド９の開閉操作を円滑に行うことができ、その操作性を高めることができる。
【００６７】
また、本実施形態に係るハード型パッケージ１は、第１パッケージ部２及び第２パッケージ部３を備えるため、シガレットの収容空間が一つのみのパッケージよりもシガレットの鮮度を維持し易いという利点がある。通常、パッケージ内に収容されるシガレットの束は、アルミ蒸着紙などの包材によって包まれている。ハード型パッケージ１は、例えば、第１パッケージ部２と第２パッケージ部３にシガレットを半数ずつ分けて収容し、一方の収容空間に収容されたシガレットの開封時期を他方に比べて遅くすることが可能である。このように、シガレットの未開封状態をより長く継続させ、その鮮度を好適に維持することができる。
【００６８】
また、ハード型パッケージ１における第１パッケージ本体４と第２パッケージ本体７には、異なる種類のシガレットを収容しても良い。これにより、ハード型パッケージ１の使用用途を広げることができ、パッケージ及び当該パッケージに被収容物を収容した製品の商品価値を高めることができる。また、ハード型パッケージ１は、第１パッケージ本体４及び第２パッケージ本体７の少なくとも何れか一方を、難燃材料又は不燃材料によって形成しても良い。この場合、難燃材料又は不燃材料を用いて形成されているパッケージ本体の収容空間を、吸殻入れとして利用しても良い。その他、第１パッケージ本体４あるいは第２パッケージ本体７のシガレットが空になった後、その収容空間にライター等の他の物品を収容しても良い。この場合においても、ハード型パッケージ１は、第１パッケージ本体４及び第２パッケージ部３を備えるため、吸殻やライター等を収容する収容空間とシガレットの収容空間とを互いに分離できる。
【００６９】
＜変形例＞
本実施形態に係るハード型パッケージ１は、本発明の趣旨を逸脱しない範囲で種々の変形を加えることができる。例えば、上記実施形態では、第３ブランクＢ３によって形成された連結部材１０を、第１リッド６の天壁６２及び第２リッド９の天壁９２に接着したが、第１リッド６の天壁６２と後壁６１との境界をなす後頂縁部と、第２リッド９の天壁９２と後壁９１との境界をなす後頂縁部とが頂部ヒンジ１０ａを介して相対回動自在に連結されていれば良い。従って、例えば、図１１に示すように、第３ブランクＢ３によって形成された連結部材１０を、第１リッド６の後壁６１及び第２リッド９の後壁９１に接着しても良い。
【００７０】
図１１に示す例では、第３ブランクＢ３の第１連結パネルＰ４１を第１リッド６の後壁６１に接着し、第３ブランクＢ３の第２連結パネルＰ４２を第２リッド９の後壁９１に接着している。そして、第３ヒンジラインＬ３が後壁６１及び後壁９１それぞれの上端に位置するように第３ブランクＢ３を接着している。これにより、第１リッド６の天壁６２と後壁６１との境界をなす後頂縁部と、第２リッド９の天壁９２と後壁９１との境界をなす後頂縁部とに沿って第３ヒンジラインＬ３が配置される。その結果、頂部ヒンジ１０ａを介して、第１リッド６及び第２リッド９の後頂縁部同士を回動自在に連結することができ、上述した実施形態と同様の作用効果を奏することができる。
【００７１】
また、上記実施形態に係るハード型パッケージ１において、スライド機構は、第１パッケージ部２及び第２パッケージ部３の何れか一方のパッケージ本体における後壁の上下方向に沿って延設された係合部と、他方のパッケージ本体における後壁に設けられると共に係合部の延伸方向にスライド自在に係合する被係合部とから構成されていれば良い。すなわち、実施形態１に係る係合部１１ｃと差し込み片１３の組み合わせはスライド機構の一例であり、種々の変更を加えることができる。勿論、ハード型パッケージ１における係合部１１ｃと差し込み片１３とを入れ替えて配置しても良い。また、ハード型パッケージ１は、第１リッド６及び第２リッド９が閉じられた際に、これらが不用意に開放されることを抑制して蓋閉まりを良好にするためのロック機構を備えていても良い。
【００７２】
＜実施形態２＞
次に、実施形態２に係るハード型パッケージ１Ａについて説明する。図１２に示すように、実施形態２に係るハード型パッケージ１Ａは、第１パッケージ本体４及び第２パッケージ本体７の後面に設けられるスライド機構が実施形態１と相違している。実施形態２に係るハード型パッケージ１Ａのうち、実施形態１のハード型パッケージ１と同等の部材には同一の参照符号を付すことで詳しい説明を省略する。図１２は、ハード型パッケージ１Ａの分解図であり、実施形態１の図３に対応する図である。
【００７３】
ハード型パッケージ１Ａにおいては、第１パッケージ本体４の後壁４２に、一組のスリット２１ａ，２１ｂが設けられている。スリット２１ａ，２１ｂは、後壁４２の上下方向に沿って延伸している。また、第２パッケージ本体７における後壁７２には、スリット２１ａ，２１ｂに差し込まれる一組の差し込み片２３ａ，２３ｂが設けられている。各差し込み片２３ａ，２３ｂは、後壁７２の幅方向すなわち左右方向に延伸した細長の板状部材である。各差し込み片２３ａ，２３ｂの基端は後壁７２の側縁部に接合されている。各差し込み片２３ａ，２３ｂは、その基端側のみが後壁７２に接合されており、先端側は自由端となっている。各差し込み片２３ａ，２３ｂは、後壁７２における側縁部との接合部を基点として、後壁７２の横方向内側に向けて水平方向に伸びている。
【００７４】
＜製造方法＞
本実施形態に係るハード型パッケージ１Ａは、図１３に示す第４ブランクＢ４によって第１パッケージ部２を形成し、図１４に示す第５ブランクＢ５によって第２パッケージ部３を形成する。なお、第１パッケージ部２及び第２パッケージ部３を連結する連結部材１０は、図８で説明した第３ブランクＢ３を使用することができる。以下、図１３に示す第４ブランクＢ４、図１４に示す第５ブランクＢ５について説明する。なお、第４ブランクＢ４、第５ブランクＢ５のうち、上述した第１ブランクＢ１、第２ブランクＢ２と共通するパネルについては、同一の参照符号を付すことでその説明を省略する。
【００７５】
図１３に示すように、第４ブランクＢ４は、第１パッケージ本体４の前壁４１となる矩形状の前壁パネルＰ１を有しており、前壁パネルＰ１の両側縁には、第１パッケージ本体４の側壁４３となる側壁パネルＰ２，Ｐ２が連なっている。前壁パネルＰ１の下端縁には、第１パッケージ本体４の底壁４４となる底壁パネルＰ５が連なっている。また、底壁パネルＰ５の下端縁には、第１パッケージ本体４の後壁４２となる後壁パネルＰ６が連なり、後壁パネルＰ６の両側縁にはインナサイドフラップＰ７が連なっている。各インナサイドフラップＰ７の上端縁には、インナボトムフラップＰ８が連なっている。また、後壁パネルＰ６には、その上下方向に伸びる一組のスリット２１ａ，２１ｂが形成されている。
【００７６】
後壁パネルＰ６の下端縁には、第１ヒンジ５となる第１ヒンジラインＬ１を介して、第１リッド６の後壁６１となる後壁パネルＰ９が連結されている。また、後壁パネルＰ９の下端縁には第１リッド６の天壁６２となる天壁パネルＰ１０が連なり、後壁パネルＰ９の両側縁にはインナサイドフラップＰ１１が連なっている。また、各インナサイドフラップＰ１１の下端縁には、インナトップフラップＰ１２が連なっている。天壁パネルＰ１０の下端縁には、第１リッド６の前壁６３となる前壁パネルＰ１３が連なり、前壁パネルＰ１３の両側縁には第１リッド６の側壁６４となる側壁パネルＰ１４が連なり、前壁パネルＰ１３の下端縁にはインナフロントフラップＰ１５が連なっている。
【００７７】
また、図１４に示すように、第５ブランクＢ５は、第２パッケージ本体７の前壁７１となる前壁パネルＰ２１を有し、前壁パネルＰ２１の両側縁には第２パッケージ本体７の側壁７３となる側壁パネルＰ２２，Ｐ２２が連なっている。側壁パネルＰ２２，Ｐ２２の側縁には、差し込み片２３ａ，２３ｂとなる差し込みフラップＰ２４ａ，Ｐ２４ｂが連なっている。また、前壁パネルＰ２１の下端縁には、第２パッケージ本体７の底壁７４となる底壁パネルＰ２５が連なっている。底壁パネルＰ２５の下端縁には、第２パッケージ本体７の後壁７２となる後壁パネルＰ２６が連なり、後壁パネルＰ６の両側縁にはインナサイドフラップＰ２７が連なっている。また、各インナサイドフラップＰ２７の上端縁には、インナボトムフラップＰ２８が連なっている。
【００７８】
後壁パネルＰ２６の下端縁には、第２ヒンジ８となる第２ヒンジラインＬ２を介して、第２リッド９の後壁９１となる後壁パネルＰ２９が連結されている。後壁パネルＰ２９の下端縁には、第２リッド９の天壁９２となる天壁パネルＰ３０が連なり、後壁パネルＰ２９の両側縁にはインナサイドフラップＰ３１が連なり、各インナサイドフラップＰ３１の下端縁にはインナトップフラップＰ３２が連なっている。天壁パネルＰ３０の下端縁には第２リッド９の前壁９３となる前壁パネルＰ３３が連なり、前壁パネルＰ３３の両側縁には第２リッド９の側壁９４となる側壁パネルＰ３４が連なっている。更に、前壁パネルＰ３３の下端縁には、インナフロントフラップＰ３５が連なっている。
【００７９】
上述した第４ブランクＢ４、第５ブランクＢ５は、破線で示した折り込み線からそれぞれ折り込まれ、各所が接着される。第４ブランクＢ４では、インナボトムフラップＰ８が底壁パネルＰ５に接着され、インナサイドフラップＰ７が側壁パネルＰ２に接着されることで、第１パッケージ本体４が成形される。また、各インナトップフラップＰ１２が天壁パネルＰ１０に接着され、インナサイドフラップＰ１１が各側壁パネルＰ１４に接着され、インナフロントフラップＰ１５が前壁パネルＰ１３に接着されることで、第１リッド６が成形される。但し、インナボトムフラップＰ８、インナトップフラップＰ１２、インナフロントフラップＰ１５については、底壁パネルＰ５、天壁パネルＰ１０、前壁パネルＰ１３に対して接着しなくてもよい。
【００８０】
第５ブランクＢ５では、インナボトムフラップＰ２８が底壁パネルＰ２５に接着され、インナサイドフラップＰ２７が側壁パネルＰ２２に接着されることで、第２パッケージ本体７が成形される。更に、インナトップフラップＰ３２が天壁パネルＰ３０に接着され、インナサイドフラップＰ３１が側壁パネルＰ３４に接着され、インナフロントフラップＰ３５が前壁パネルＰ３３に接着されることで、第２リッド９が成形される。但し、上記のようにインナボトムフラップＰ２８、インナトップフラップＰ３２、インナフロントフラップＰ３５については、底壁パネルＰ２５、天壁パネルＰ３０、前壁パネルＰ３３に対して接着しなくてもよい。
【００８１】
以上のように成形された第１パッケージ部２及び第２パッケージ部３が、第３ブランクＢ３からなる連結部材１０（図１２を参照）によってヒンジ連結されると、ハード型パッケージ１Ａが完成する。連結部材１０（第３ブランクＢ３）は、第１パッケージ部２及び第２パッケージ部３を背中合わせに配置した後、第１連結パネルＰ４１が第１リッド６の天壁６１に接着され、第２連結パネルＰ４２が第２リッド９の天壁９２に接着される。その結果、第１リッド６と第２リッド９とが頂部ヒンジ１０ａを中心に相対回動自在に連結される。その後、ハード型パッケージ１Ａの成形後において差し込み片２３ａ，２３ｂとなる第５ブランクＢ５における差し込みフラップＰ２４ａ，Ｐ２４ｂを、第４ブランクＢ４の後壁パネルＰ６に設けられたスリット２１ａ，２１ｂにそれぞれ差し込むことで、差し込み片２３ａ，２３ｂがスリット２１ａ，２１ｂに対してスライド自在に係止（保持）される。本実施形態においては、スリット２１ａ，２１ｂが係合部に相当し、差し込み片２３ａ，２３ｂが被係合部に相当する。
【００８２】
以上のように構成されるハード型パッケージ１Ａにおいては、実施形態１のハード型パッケージ１と同様に、第１パッケージ部２及び第２パッケージ部３が背中合わせに配置されると共に、頂部ヒンジ１０ａを介して、第１リッド６及び第２リッド９の後頂縁部同士が相対回動自在に連結される。そして、ハード型パッケージ１Ａは、第１パッケージ本体４の後壁４２に上下方向に沿って延設されるスリット２１ａ，２１ｂと、このスリット２１ａ，２１ｂの延伸方向へスライド自在にスリット２１ａ，２１ｂと係合すると共に第２パッケージ本体７の後面７２に設けられる差し込み片２３ａ，２３ｂとを有するスライド機構を備える。これによれば、使用者が、第１リッド６あるいは第２リッド９を開放する際に、第１パッケージ本体４及び第２パッケージ本体７のスライド操作を円滑に行うことができる。なお、本実施形態におけるハード型パッケージ１Ａにおいて、第１リッド６と第２リッド９の基本的な開閉動作は、図１０において述べた説明を援用することができる。以上より、本実施形態に係るハード型パッケージ１Ａによっても、実施形態１に係るハード型パッケージ１と同様の効果を得ることができる。
【００８３】
なお、実施形態１に係る変形例が、本実施形態に係るハード型パッケージ１Ａに適用できるのは勿論である。すなわち、図１１で説明した連結部材１０の接着態様を本実施形態に適用してハード型パッケージ１Ａにおける第１パッケージ部２及び第２パッケージ部３を連結しても良い。
【００８４】
以上、本発明に係る好適な実施形態及び変形例について説明したが、本発明に係るハード型パッケージはこれらに限らず、可能な限りこれらの組合せを含むことができる。また、ハード型パッケージに収容する被収容物は特に限定されるものではないが、棒状物品の集合体、例えばたばこ商品を被収容物として好適に例示できる。たばこ商品としては、例えば紙巻たばこ（フィルタシガレット、両切たばこ（フィルタ無し））、シガー（葉巻）、シガリロ、スヌース、嗅ぎたばこ、噛みたばこ、電子たばこ等が例示できる。また、ハード型パッケージに収容する被収容物はたばこ商品に限らず、例えば菓子やガム等の物品を収容してもよい。
【符号の説明】
【００８５】
１・・・ハード型パッケージ
２・・・第１パッケージ部
３・・・第２パッケージ部
４・・・第１パッケージ本体
５・・・第１ヒンジ
６・・・第１リッド
７・・・第２パッケージ本体
８・・・第２ヒンジ
９・・・第２リッド
１０・・・連結部材
１０ａ・・・頂部ヒンジ
１１・・・スライドガイド
１１ｃ・・・係合部
１３・・・差し込み片
【図１】
2014061297.tif 000003
【図２】
2014061297.tif 000004
【図３】
2014061297.tif 000005
【図４】
2014061297.tif 000006
【図５】
2014061297.tif 000007
【図６】
2014061297.tif 000008
【図７】
2014061297.tif 000009
【図８】
2014061297.tif 000010
【図９】
2014061297.tif 000011
【図１０Ａ】
2014061297.tif 000012
【図１０Ｂ】
2014061297.tif 000013
【図１０Ｃ】
2014061297.tif 000014
【図１１】
2014061297.tif 000015
【図１２】
2014061297.tif 000016
【図１３】
2014061297.tif 000017
【図１４】
2014061297.tif 000018
【国際調査報告】
2014061297.tif 000019
2014061297.tif 000020
2014061297.tif 000021
2014061297.tif 000022